(57)【要約】【課題】前席用の空調のみならず後席用の空調を備えた自動車用空調装置と前席用の空調のみの自動車用空調装置とを共用化するため、空調ケースを同一の金型を用いて制作できるような構成にしたこと。【解決手段】仕切板７により空調ケース２内を前席用の空調用と後席用の空調用に分け、前席用の空調制御のための前席用エアミックスドア１２は、移動する前席用ヒータ流入風閉鎖部１２ａと、これに従動する後席用空調通路閉鎖部１２ｂとより成り、該前席用エアミックスドア１２の開度により温調制御が行われる。それから、前記後席用空調通路閉鎖部１２ｂに開口部１４が形成され、該エアミックスドア１２の特定の開度で、前記開口部１４から冷風が後席用空調通路９に流れるように構成する。そして、前席用の空調装置のみの場合には、後席用の空調をキャンセルするため前記エアミックスドア１２の開口部１４を無くすと共に、後席用吹出開口３０を無くす。【選択図】        図１
2008265595.tif 000002
【特許請求の範囲】
【請求項１】
エバポレータを通過した冷風が加熱されるヒータコアを有する前席用空調通路と、前記ヒータコアを迂回する前席用冷風バイパス通路と、前記ヒータコアに流れる冷風量とバイパスする量の割合を調量する前席用エアミックスドアと、前記ヒータコアからの温風と前記前席用冷風バイパス通路からの冷風とを混合した温調空気を吹出す前席用吹出用開口とを備え、
また、前記エバポレータを通過した冷風が加熱されるヒータコアを有する後席用空調通路と、前記ヒータコアを迂回する後席用冷風バイパス通路と、前記ヒータコアに流れる冷風量とバイパスする量の割合を調量する後席用エアミックスドアと、前記ヒータコアからの温風と前記後席用冷風バイパス通路からの冷風とを混合した温調空気を吹出す後席用吹出し開口とを備え、
前記前席用エアミックスドアは、前席用ヒータ流入風閉鎖部と、後席用空調通路閉鎖部とから成り、前記後席用空調通路閉鎖部に開口部を形成可能に構成したことを特徴とする自動車用空調装置。
【請求項２】
前記前席用エアミックスドアは、前記後席用空調通路閉鎖部に開口部が形成され、前記前席用エアミックスドアの位置が最大冷房時においても、該後席用空調通路閉鎖部に形成した開口部から空調風が後席用空調通路に流れるようにしたことを特徴とした請求項１記載の自動車用空調装置。
【請求項３】
前記前席用エアミックスドアは、駆動軸を支点として回動する前記前席用ヒータ流入風閉鎖部と、前記前席用ヒータ流入風閉鎖部に連結して折れ曲がる前記後席用空調通路閉鎖部を備えていることを特徴とする請求項２記載の自動車用空調装置。
【請求項４】
後席用空調を有しない仕様にあっては、前記前席用エアミックスドアの前記後席用空調通路閉鎖部に開口部を形成しないようにしたことを特徴とする請求項１記載の自動車用空調装置。
【請求項５】
前記前席用エアミックスドアは駆動軸を支点として回動する前記前席用ヒータ流入風閉鎖部と、前記前席用ヒータ流入風閉鎖部に連結して折れ曲がる前記後席用空調通路閉鎖部を備えていることを特徴とする請求項４記載の自動車用空調装置。
【請求項６】
前記前席用エアミックスドアの前記後席用空調通路閉鎖部は、該前席用エアミックスドア位置が最大冷房時において、前記後席用空調通路を完全に塞ぐ位置に配置されることを特徴とする請求項５記載の自動車用空調装置。
【請求項７】
前記前席用エアミックスドアの前記後席用空調通路閉鎖部の開口部の有無は、該前席用エアミックスドアの金型に対し、該金型の中に嵌め込んで使用する部分的な金型（入れ子）を用いて成形することを特徴とする請求項１記載の自動車用空調装置。
【発明の詳細な説明】
【技術分野】
【０００１】
この発明は、自動車用空調装置に関し、前席用の空調装置と、前席及び後席用の空調装置を一つの共通の装置で対応出来るようにしたものである。
【背景技術】
【０００２】
自動車用空調装置は、前席側のインストルメントパネル下に配され、前席側にのみ空調空気を吹出すものや、同じく前席側のインストルメントパネル下に配され、前席側ばかりでなく後席にも空調空気を導くものがある。したがって前席用空調装置と前席と後席共に空調する空調装置とは、別々に設計し別々の装置を採用していた。即ち２つの装置を作り出していた。
【０００３】
しかし、近年製造コストの低減の要請は大きく、空調装置の共通化を図ることが出来れば、一つの空調装置で良くなり、大幅にコストの引き下げに寄与出来るものであり、そのような考えから、特許文献１に示すような発明が提案されている。
【０００４】
特許文献１にも前席用ばかりでなく、後席用の空調を行うもので、まず前席のみならず後席用の空調装置の基本的な構成は、特許文献２や、特許文献３に示されている。
【特許文献１】特開２００１−１０３２９号公報
【特許文献２】実用新案登録第２５２８４０４号公報
【特許文献３】特開２００１−６３３４６号公報
【発明の開示】
【発明が解決しようとする課題】
【０００５】
前席のみならず後席用の空調を行う自動車用空調装置は、特許文献２，３にあっては、後席用空調装置は、前席用空調装置とは独立に、冷風がヒータコアを有するコアをバイパスする後席用冷風バイパス通路を形成すると共に、導入の冷風の一部をヒータコアを通過させて温風化し、この温風と冷風とを混合して調温し、後席吹出用開口より後席に導き、後席側に吹出させている。
【０００６】
前記特許文献１は、前席と後席共に空調する空調装置であるが、下部ケース１１ｃの採用時は後席用空調装置を持ち、そして下部ケース１１ｄの採用時は冷風バイパス通路３２は無く、前席用空調装置のみが提供でき、一個の部品１１ｃ，１１ｄの取り換えで、空調装置の共通化が図れることが記述されている。  
【０００７】
しかしながら、前記特許文献１にあっては、取り換え部品は比較的大きいという欠点を持っていた。
【０００８】
このため、この発明は、変更部分を少なくして、前席用の空調装置と、前席及び後席用の空調装置が同じ金型にて制作出来るようにすると共に、それに伴い生じる不都合の解消を図ることにある。
【課題を解決するための手段】
【０００９】
この発明に係る自動車用空調装置は、エバポレータを通過した冷風が加熱されるヒータコアを有する前席用空調通路と、前記ヒータコアを迂回する前席用冷風バイパス通路と、前記ヒータコアに流れる冷風量とバイパスする量の割合を調量する前席用エアミックスドアと、前記ヒータコアからの温風と前記前席用冷風バイパス通路からの冷風とを混合した温調空気を吹出す前席用吹出用開口とを備え、また、前記エバポレータを通過した冷風が加熱されるヒータコアを有する後席用空調通路と、前記ヒータコアを迂回する後席用冷風バイパス通路と、前記ヒータコアに流れる冷風量とバイパスする量の割合を調量する後席用エアミックスドアと、前記ヒータコアからの温風と前記後席用冷風バイパス通路からの冷風とを混合した温調空気を吹出す後席用吹出し開口とを備え、前記前席用エアミックスドアは、前席用ヒータ流入風閉鎖部と、後席用空調通路閉鎖部とから成り、前記後席用空調通路閉鎖部に開口部が形成可能に構成されたことを特徴とする（請求項１）。
【００１０】
これにより、前席用エアミックスドアの後席用空調通路閉鎖部に形成される開口部の有無で、前席用空調としたり、後席用空調も併せて採用できる空調装置を作り出すことが出来る。
【００１１】
前記前席用エアミックスドアは、前記後席用空調通路閉鎖部に開口が形成され、前記後席用エアミックスドアの位置が最大冷房時においても、該後席用空調通路閉鎖部に形成した開口部から空調風が後席用空気通路に流れるようにしている（請求項２）。
【００１２】
これにより、前席用空調のみならず後席空調も独立して同時に行うことが出来る。即ち、この前席用空調装置にあって、最大冷房時にあっては、前席用エアミックスドアが前記ヒータコアを全閉するように移動され、前席用バイパス通路に流れると共に、その一部が前席用エアミックスドアの開口部を介して後席用空調通路に流すことができ、後席用空調を独立して行うことが出来る。
【００１３】
さらに、前席用エアミックスドアの移動により、ヒータコアにも冷風が流れるようになり、冷風と温風との混合による吹出風の温調が行われる。そして、選択される吹出モードに応じて下記のように制御される。前席ベントモード時では、ベントドアが動き、前席用ベント吹出用開口が開かれる。前席バイレベルモード時では、ベントドアとフットドアが動き、前席用ベント吹出用開口及び前席用足元開口が開かれる。前席ヒートモード時では、ベントドアが動き、前席用ベント吹出用開口が閉じ、前席用足元用開口が開かれる。
【００１４】
デフロストモード時では、デフロスタドアが動き、デフロスタ吹出用開口が開かれ、他のベント吹出用開口、足元用開口は閉じられる。そして、後席エアミックスドアが動いて後席用温風通路が開くと共に開閉ドアが閉じられる。これにより、後席用空調通路も利用して冷風の全量が加熱され温風となってデフロスタ吹出用開口に送られる。
【００１５】
前記した前席用空調に対し、後席用空調は、必要時に後席空調用開閉ドアが開位置に切換えられる。最大冷房時は、冷風が前席エアミックスドアに形成の開口部から導入され、冷風バイパス通路を流れ、後席用吹出開口から後席に冷風が送られる。
【００１６】
エアミックス時は、後席用エアミックスドアが動いて、冷風の一部がヒータコアに流れて温風化され、その温風と前記冷風バイパス通路を流れてきた冷風とが混合されて調温され、後席に送られる。
【００１７】
最大暖房時は、後席用エアミックスドアが動いて、冷風の全部がヒータコアに流れて温風化され、その温風が後席用吹出開口から後席に送られる。
【００１８】
そして、後席用空調が作動時でも、前席空調が最大デフモード時に設定されると、前述したごとく、後席用エアミックスドアが動いて、冷風の全量がヒータコアに流れて温風化され、その温風は、後席用空調開閉ドアが閉じられると共に連動する切換ドアが動くことで、前席用空調の前席用空調通路内に流れる温風と混合し、デフロスタ吹出開口から全量が吹出される。
【００１９】
前記前席用エアミックスドアは、駆動軸を支点として回動する前席用ヒータ流入風閉鎖部と、前記前席用ヒータ流入風閉鎖部に連結して折れ曲がる前記後席用空調通路閉鎖部を備えるようにし（請求項３）、回動時の前席用エアミックスドアの半径方向寸法を短くする利点を持っている。
【００２０】
前記後席用空調を有しない仕様であっては、前記前席用エアミックスドアの後席用空調通路閉鎖部に形成の開口部を形成しないようにしたことを特徴としている（請求項４）。これにより、前席用のみならず後席用の空調を行っていた同一の自動車用空調装置を前席専用の空調装置として利用することが出来る。
【００２１】
前記前席用エアミックスドアは駆動軸を支点として回動する前記前席用ヒータ流入風閉鎖部と、前記前席用ヒータ流入風閉鎖部に連結して折れ曲がる前記後席用空調通路閉鎖部を備えていることを特徴として（請求項５）、回動時の前席用エアミックスドアの半径方向寸法を短くする利点を持っている。また前記前席用エアミックスドアの前記後席用空調通路閉鎖部は、該前席用エアミックスドア位置が最大冷房時において、前記後席用空調通路を完全に塞ぐ位置に配置されることを特徴として（請求項６）、後席用空調通路を流れる空気を遮断し、後席用に用いる通路から温風が出ないようにしている。
【００２２】
具体的には、前記前席用エアミックスドアの後席用空調通路閉鎖部の開口部の有無は、前席用エアミックスドアの金型又に対し、該金型に嵌め込んで使用する部分的な金型（入れ子）を用いて成形することができ（請求項７）、金型投資削減に寄与し、しかも部品の共用化や加工も容易となる。
【発明の効果】
【００２３】
以上のように、この発明によれば、前記前席用エアミックスドアの前記後席用空調通路閉鎖部に開口部を形成可能に構成したことから、開口部の形成の有無で、前席のみならず、後席にも空調を行うことが出来るようになる（請求項１）。後席用空調は前席用のエバポレータ及びヒータコアを利用するもので、このために、前席用エアミックスドアに開口部を形成して、後席用空調のために冷風の導入を図り、しかも後席用エアミックスドアを動かして温度を制御すると共に、最大デフロスト時に後席用空調通路をも使用することで風量アップが図られる（請求項２）。
【００２４】
後席用空調を有しない仕様は、前記前席用エアミックスドアに開口部を形成しないことで対応でき、コストの上昇を防ぐことが出来る（請求項４）。その具体的な例は前席用エアミックスドアの金型に対し該金型の中に嵌め込んで使用する部分的な金型（入れ子）を用いて成形することで可能であり、その対応も容易で、前述したように製造コストの低減に寄与することが出来る（請求項７）。
【発明を実施するための最良の形態】
【００２５】
以下、この発明の実施例を図面に基づいて説明する。
【００２６】
図１において、自動車用空調装置１が示され、車両のインストルメントパネル下に設けられ、車両の左右方向の中央に位置するセンターコンソールの奥のエンジンルーム側に配置されるもので、図示しないブロワから送られてきた空気を、冷却又は加熱して所望の温度に温調し、且つ所望の吹出モードに応じて選定された吹出開口より車室内に吹出させている。
【００２７】
この自動車用空調装置１は、内部に空調通路が形成された空調ケース２内に、導入口３を介して図示しない送風機より送られてきた空気が導入され、該空調通路にエバポレータ４が縦方向に配置されている。このエバポレータ４の空気流れ下流側にヒータコア５が下記するように配置されている。
【００２８】
前記エバポレータ４は、コンデンサ、コンプレッサ等の機器と冷凍サイクルを構成するもので、冷媒の蒸発潜熱を通過する空気から吸熱して冷却し、冷風とするものである。
【００２９】
また、前記ヒータコア５は、前記エバポレータ４からの冷風を加熱するものであって、その内部にエンジンからの高温の冷却水が流れ、その熱源にて空気を加熱するものである。
【００３０】
このヒータコア５の前方で中程から前記エバポレータ４の近傍まで伸びると共に、後方にも伸びる仕切壁７が延設され、前席用空調通路８と後席用空調通路９とに分けられている。
【００３１】
この前席用空調通路８内にあって、前記ヒータコア５は配されているが、その上部には該ヒータコア５をバイパスして流れる前席用冷風バイパス通路１１が形成されている。この冷風バイパス通路１１のヒータコア５側で、前記エバポレータ４との間に前席用エアミックスドア１２が配置されている。
【００３２】
前席用エアミックスドア１２は、図２に示すように、駆動軸１３に固着の平板状の前席用ヒータ流入風閉鎖部１２ａと、これに連結された従動する後席用空調通路閉鎖部１２ｂとより成り、この後席用空調通路閉鎖部１２ｂに貫通する複数の開口部１４を形成している。
【００３３】
したがって、駆動軸１３が図示しない外部に設けられたアクチュエータ等からの回転力で回動され、前席用エアミックスドア１２は所望する開度θに制御され、前記ヒータコア５と冷風バイパス通路１１に流れる冷風量比を適宜選択されることから、所望する温度に調温する作用を有している。
【００３４】
また、前席用エアミックスドア１２は、その後席用空調通路閉鎖部１２ｂが前記前席用ヒータ流入風閉鎖部１２ａに回動自在に連結され、折れ曲がって動くことから、半径方向の寸法を短くでき、ヒータコアとエバポレータ間の隙間（寸法）を少なくすることができる。なお、後席用空調通路閉鎖部１２ｂは、該後席用空調通路閉鎖部１２ｂに突設のガイドピン１５により図示されていないガイド溝に添って動かされる。
【００３５】
さらに、前席用エアミックスドア１２は、図１に示す状態にあると、前記ヒータコア５の前面を完全に閉じ（全閉状態）、冷風が流れ込まないようになると共に、後席用空調通路閉鎖部１２ｂが前記後席用空調通路９の前面を覆っている。この場合に、冷風はほとんど前席用バイパス通路１１内を流れるが、一部の冷風は、前席用エアミックスドア１２の開口部１４により前記後席用空調通路９にも流れる。
【００３６】
前記したヒータコア５の下流には、セラミックヒータ（ＰＴＣヒータ）１７が並設され、前記ヒータコアの熱源不足時に用いられる。ヒータコア５を通過により冷風は温風化され、この温風は前記前席用冷風バイパス通路１１からの冷風と混合され、所望する温度に調温される。
【００３７】
前記空調用通路８の最も終端に、吹出モードにより開閉される前席用吹出用開口であるベント吹出用開口１９、足元吹出用開口２０及びデフロスタ吹出用開口２１が形成されている。そして、その各吹出口用開口１９，２０，２１に、ベントドア２２、フットドア２３及びデフロスタドア２４が設けられている。
【００３８】
前記後席用空調通路９は、前記仕切壁７により作られ、その後席用空調通路９内にヒータコア５の下部を配し、内部を流れる冷風を温風化するものと、この後席用空調通路９から分岐し、ヒータコア５の下部を迂回する後席用冷風バイパス通路２６とを有し、前記分岐部位に後席用エアミックスドア２７を有し、再結合部位に切換ドア２８を配している。
【００３９】
後席用エアミックスドア２７は、後席用空調通路９と後席用冷風バイパス通路２６に流れる冷風量比を適宜選択して、所望する温度に調温する作用を有している。また切換ドア２８は、前記ヒータコア５からの温風を、前記後席用冷風バイパス通路２６に流すのを制御する板状ドア２８ａと、後席用吹出開口３０を開閉する開閉ドア２８ｂとより成っている。この切換ドア２８は前記後席用エアミックスドア２７と下記するように連動制御されている。
【００４０】
上述の構成において、図３に示すベントモード時には、前席空調は、ベントドア２２が動いてベント吹出用開口１９を開き、前記前席用エアミックスドア１２は全閉状態で、冷風は、矢印のように前席用冷風バイパス通路１１を流れ、ベント吹出用開口１９から吹出される。そして、後席用空調は、後席用エアミックスドア２７が切換わり、後席冷風バイパス通路２６にのみ、前記前席用エアミックスドアの開口部１４から冷風が取り込まれ、矢印のように流れ、後席用吹出開口３０より吹出される。
【００４１】
図４に示すバイレベルモード時には、前席空調は、ベントドア２２は動いてベント吹出用開口１９が開き、フットドア２３が動いて足元吹出用開口２０を開くと共に、前席用エアミックスドア１２もその開度を大きくし、略半分程の開度となっている。したがって、冷風は矢印のようにヒータコア５に流れ温風化され、また、前席用冷風バイパス通路１１にも流れて、温冷二層化して、比較的冷たい風は矢印のように前記ベント吹出用開口１９から吹出され、比較的温かい風は前記足元吹出用開口２０から吹出される。
【００４２】
そして、後席用空調は、後席用エアミックスドア２７が中間開度となり、冷風が矢印のように後席用空調通路９に流れて温風となり、また冷風が矢印のように後席用冷風バイパス通路２６に流れて、後方で温風と混合して温調され、後席用吹出開口３０より吹出される。
【００４３】
図５に示すヒートモード時には、前席用空調は、フットドア２３が動いて、足元吹出用開口２０が開と共に、前席用エアミックスドア１２は全開となっている。したがって、冷風は矢印のようにヒータコア５に流れて温風化され、該温風の全量が矢印のように足元吹出用開口２０より吹出される。
【００４４】
また、後席用空調は、後席用エアミックスドア２７が動いて、後席用冷風バイパス通路２６が閉じられ、冷風が矢印のように全量ヒータコア５に流れて温風化され、後席用吹出開口３０から吹出される。
【００４５】
図６に示すデフロストモード時には、前席用空調は、デフロスタドア２４が動いて、デフロスタ吹出用開口２１が開き、切換ドア２８は切換わり、後席用吹出開口３０は閉じられる。そして、前席用エアミックスドア１２は全開状態で、冷風は全量ヒータコア５に流れ、温風化され、温風は矢印のように流される。それと共に、後席用ミックスドア２７は後席用冷風バイパス通路２６を閉じ、後席用空調通路９が全開となり、冷風は矢印のように流れて、ヒータコア５にて温風化され、温風は矢印のように流れる。そして、温風は前記前席用空調の温風と混合され、デフロスタ時には温風が最大の流量となる。
【００４６】
前述したように、吹出モードにより、前席空調と後席空調との作用を詳細に説明したごとく、前席空調に連動して後席空調も行われ、車室内全体の空調のアンバランス化を防いでいる。しかし、後席空調も、図７から図１０に示すように、前席とは独立して制御することも出来る。
【００４７】
即ち、図７に示すように、後席空調を不要とするクローズ時は、切換ドア２８が動き、後席吹出開口３０を閉じる。また後席空調の必要時において、最大冷房時では、後席用エアミックスドア２７が動いて、冷風を後席用冷風バイパス通路２６内に全て流すことで行われる（図８参照）。さらに、エアミックス時では、後席用エアミックスドア２７が中間位置とされ、冷風がヒータコア５にも、後席用冷風バイパス通路２６にも共に流れ、作り出される温風と冷風との混合の割合から所望する温度に調温されることで行われる（図９参照）。それから最大暖房時では、後席用エアミックスドア２７が動いて、冷風をヒータコア５に全て流すことで行われる（図１０参照）。このようにして、後席空調が後席側からも自由に行われる。
【００４８】
前述の後席空調の制御時に、後席用エアミックスドア２７と切換ドア２８との関係は、図１１に示す作動特性線図のようになっている。
【００４９】
以上説明した自動車用空調装置１は、前席空調のみならず後席用空調も出来るものであるが、前席用空調のみ仕様の場合にも、同じ金型を用いて製造することが出来る。即ち図１２に示すような相違点を有する構成を作り出し、対応している。まず、前席用エアミックスドア１２はそれに形成の開口部１４を閉じたものを用いる。それから、後席用エアミックスドア２７を取り外し、後席冷風バイパス通路２６に冷風が入らないように、冷風バイパス通路側の仕切壁３３を延長し、また、切換ドア２８を取り外すと共に、後席用吹出開口３０を閉じる構成にしている。
【００５０】
その具体的方法は、前席用エアミックスドア１２にあっては、図１３に示すような、前述した前席用エアミックスドア１２の金型３２（一部のみを示す）に形成の穴３４にａに示すような入れ子３５を嵌めることで、開口部１４を作り出すことが出来るが、ｂのような入れ子３６に入れ換えることで開口部１４の無い構成とすることが出来る。仕切壁７も同時に入れ子を用いて冷風バイパス通路側の仕切壁３３を延長している。さらに、後席吹出開口３０は、図１４に示すような前述した空調ケース２の金型３８（一部のみ示す）に形成の穴３９にａに示すような入れ子４０を嵌めることで、後席吹出開口を作り出すことが出来るが、ｂのような入れ子４１を金型に嵌めることで開口の無い構成とすることが出来る。即ち、前席用空調のみの使用の要求にも金型を共用して空調ケース２を作り出すことが出来る。
【００５１】
前記した例では、前席用エアミックスドア１２を駆動軸１３を支点として回動する例を示しているが、これに限らず平板状の部材で構成し、ヒータコア５の前面をスライド移動するようにしても本願発明は適用出来ることは勿論である。
【００５２】
また、前席用エアミックスドア１２は、図１５に示すように、１枚の平板状としても良く、駆動軸１３に近い側に前席用ヒータ流入風閉鎖部１２ａが、遠い側に後席用空調通路閉鎖部１２ｂがそれぞれ設けられている。さらに、図１５に示すように、左右独立温調用の空調装置に用いられる前席用エアミックスドア１２においては、中央に分割壁が入るために、左右それぞれ分離した構成とすると共に、駆動軸１３に近い側に前席用ヒータ流入風閉鎖部１２ａが、遠い側に後席用空調通路閉鎖部１２ｂがそれぞれ設けられている。
【図面の簡単な説明】
【００５３】
【図１】この発明の実施例を示し、前席用空調のみならず後席用空調を行う自動車用空調装置の断面図である。
【図２】同上に用いられる前席用エアミックスドアの斜視図である。
【図３】同上の自動車用空調装置のＶＥＮＴ時の作動状態を示す断面図である。
【図４】同上の自動車用空調装置のＢ／Ｌ時の作動状態を示す断面図である。
【図５】同上の自動車用空調装置のＨＥＡＴ時の作動状態を示す断面図である。
【図６】同上の自動車用空調装置のＤＥＦ時の作動状態を示す断面図である。
【図７】同上の自動車用空調装置にあって、後席用空調の制御を表し、ｃｌｏｓｅｄ時の作動状態を示す断面図である。
【図８】同上の自動車用空調装置にあって、後席用空調の制御を表し、ｆｕｌｌ  ｃｏｌｄ時の作動状態を示す断面図である。
【図９】同上の自動車用空調装置にあって、後席用空調の制御を表し、ｍｉｘｅｄ時の作動状態を示す断面図である。
【図１０】同上の自動車用空調装置にあって、後席用空調の制御を表し、ｆｕｌｌ  ｈｏｔ時の作動状態を示す断面図である。
【図１１】後席用空調状態時の切換ドアと後席用エアミックスドアとの関係を表した特性線図である。
【図１２】この発明の実施例を示し、前席用空調仕様の自動車用空調装置の断面図である。
【図１３】前席エアミックスドアの成形用の金型で、後席用空調通路閉鎖部付近が示され、金型に形成の穴とそれに嵌合して仕様される入れ子（部分的な金型）を示し、ａは開口部を作り出す入れ子が穴に嵌合している概略図、ｂは開口部を無くすための入れ子が穴に嵌合している概略図である。
【図１４】空調ケースの成形用の金型で、後席用吹出開口付近が示され、金型に形成の穴とそれに嵌合して仕様される入れ子（部分的な金型）を示す説明図である。  ａは後席吹出開口を作り出す入れ子の概略図、ｂは後席吹出開口の無い構成とする入れ子の概略図である。
【図１５】前席エアミックスドアの他の実施例の斜視図である。
【図１６】左右独立用空調装置に用いられる前席エアミックスドアの実施例の斜視図で、ａは前席用ヒータ流入風閉鎖部と後席用空調通路閉鎖部が折れ曲がっている例、ｂは逆に平板的な例である。
【符号の説明】
【００５４】
１    自動車用空調装置
２    空調ケース
４    エバポレータ
５    ヒータコア
７    仕切壁
８    前席用空調通路
９    後席用空調通路
１１  前席用冷風バイパス通路
１２  前席用エアミックスドア
１２ａ  前席用ヒータ流入風閉鎖部
１２ｂ  後席用空調通路閉鎖部
１３  駆動軸
１４  開口部
１９  ベント吹出用開口
２０  足元吹出用開口
２１  デフロスタ吹出用開口
２２  ベントドア
２３  ベントドア
２４  デフロスタドア
２６  後席用冷風バイパス通路
２７  後席用エアミックスドア
２８  切換ドア
３０  後席用吹出開口
３８  金型
４０  入れ子（部分的な金型）
４１  入れ子（部分的な金型）
【図１】
2008265595.tif 000003
【図２】
2008265595.tif 000004
【図３】
2008265595.tif 000005
【図４】
2008265595.tif 000006
【図５】
2008265595.tif 000007
【図６】
2008265595.tif 000008
【図７】
2008265595.tif 000009
【図８】
2008265595.tif 000010
【図９】
2008265595.tif 000011
【図１０】
2008265595.tif 000012
【図１１】
2008265595.tif 000013
【図１２】
2008265595.tif 000014
【図１３】
2008265595.tif 000015
【図１４】
2008265595.tif 000016
【図１５】
2008265595.tif 000017
【図１６】
2008265595.tif 000018